(57)【特許請求の範囲】
【請求項１】
商品収納ラックを搭載したキャビネット本体の前面に扉ロック付きの片開き式外扉を装備した自動販売機の筐体において、外扉本体の後部周縁に付設したチャンネル状の扉枠のうち、ヒンジ側に配した扉枠に対してその内外に内外補強板を重ね合わせて接合するとともに、外側補強板の先端部を、キャビネット本体の開口縁折り返し部の裏面に向けてコ字形に屈曲したことを特徴とする自動販売機の筐体。
【発明の詳細な説明】
【０００１】
【発明の属する技術分野】
本発明は自動販売機の筐体に関する。
【０００２】
【従来の技術】
まず、本発明の実施対象となる自動販売機の全体構成を図３に示す。図において、１は庫内に商品収納ラック（図示せず）を搭載した断熱構造のキャビネット本体、２はキャビネット本体１の前面に配した片開き式の外扉であり、周知のように外扉２には商品見本を陳列したディスプレイ室３，商品取出口４のほか、コインメック５，ビルバリデータ６などを装備しており、左側の上下端に配したヒンジ金具７を介してキャビネット本体１の前面に軸支連結されている。さらに、外扉２の扉ロック手段としてヒンジ金具７と反対側には錠付き扉ハンドル８を装備している。
【０００３】
ここで、外扉２は薄鋼板の板金加工品になり、図４(a),(b) で示すように扉本体２ａの後部周縁に段部を形成し、この段部に沿って扉本体の上下，左右にチャンネル状の扉枠２ｂ〜２ｅを溶接接合して扉の剛性を高め、扉自身の荷重による反り，変形を防ぐようにした構造になり、扉を閉じた状態では図４(b) のように外扉２の後端がキャビネット本体１の前面開口部の周縁に入り込んでいる。
【０００４】
なお、図４(a) において、２ｆはコインメック，ビルバリデータなどを取付けるプレート、２ｇは扉本体２ａの裏面に溶接した補強用の横桟である。また、図４(b) で示すように、キャビネット本体１はその前面開口部の周縁を内側へＬ字形に折り曲げて折り返し部１ａを形成している。
【０００５】
【発明が解決しようとする課題】
ところで、前記した自動販売機の筐体、特に従来構造の外扉２では防盗面で次記のような問題点が残る。
すなわち、図４で述べたように外扉２に対しては、その扉本体２ａの外周縁にチャンネル状の扉枠２ｂ〜２ｅを取付けて扉の剛性を高めるようにしているほか、錠付き扉ハンドル８を破壊して機内のコインメック，ビルバリデータから金銭を盗み出す盗難の防止策として、錠付き扉ハンドル８とは別にキャビネット本体１と外扉２との間を連結して施錠する防盗用の錠付きチェーンなどを装備して防盗性を高めるようにしている。
【０００６】
前記のように、従来の自動販売機では防盗対策として扉ロックの機能を強化するようにしているものの、扉自身の強化についての対策が不十分で、この部分に防盗性の弱点があった。
【０００７】
そのために、図３に鎖線で示すように外扉２のヒンジ側（扉の吊り側はヒンジ金具７を介してキャビネット本体１に軸支されているだけあって扉ロックもない）から扉とキャビネット本体１との間の隙間にバール９などをこじ入れると、外扉２が鎖線のように容易に“く”の字に変形して外扉２とキャビネット本体１との間の隙間が拡大してしまう。このような状態になれば、外扉２をキャビネット本体１に軸支している上下のヒンジ金具７を破壊することで、扉ロックが掛かったまま外扉２を押し開けて機内側に装備したコインメック，ビルバリデータから金銭を盗み出すことが可能となる。
【０００８】
また、実際にあった盗難事例からも、前記のような手だてで機内の金銭が盗まれた盗難事故が報告されている。
本発明は上記の点に鑑みなされたものであり、その目的は、前記の不正行為よる扉の破壊，金銭の盗難を防ぐように外扉の構造を強化して防盗性を高めた自動販売機の筐体を提供することにある。
【０００９】
【課題を解決するための手段】
上記目的を達成するために、本発明によれば、商品収納ラックを搭載したキャビネット本体の前面に扉ロック付きの片開き式外扉を装備した自動販売機の筐体において、外扉本体の後部周縁に付設したチャンネル状の扉枠のうち、ヒンジ側に配した扉枠に対してその内外に内外補強板を重ね合わせて接合するとともに、外側補強板の先端部を、キャビネット本体の開口縁折り返し部の裏面に向けてコ字形に屈曲するものとする。
【００１０】
かかる構成によれば、外扉をこじ開けて機内から金銭を盗み出そうと、外扉のヒンジ側から扉とキャビネット本体との間の隙間にバールなどをこじ入れて外扉を押し拡げようとしても、扉本体の周縁に付設した扉枠が内外の補強板によ補強されているので外扉が容易に変形することがない。しかも、キャビネット本体に対して外扉が前方に多少押し拡げられると、後部の扉枠に溶接した外側補強板の先端がキャビネット本体の開口部前縁の裏面に突き当たって扉の動きを阻止するので、外扉をそれ以上に押し拡げることができなくなる。さらに、隙間からバールを扉枠に突くなどしても、扉枠の内外に溶接した補強板がこれを防いで扉枠の変形，破壊を阻害し、これにより自動販売機の防盗性が向上する。
【００１１】
【発明の実施の形態】
以下、本発明の実施の形態を図１，図２に示す実施例に基づいて説明する。なお、実施例の図中で図４に対応する同一部材には同じ符号を付してその説明は省略する。
【００１２】
すなわち、図１に示す実施例においては、外扉２の扉本体２ａに対しその後部周縁に溶接接合したチャンネル状の扉枠２ｂ〜２ｅ（図４(a) 参照）のうち、扉のヒンジ側の後部側縁に溶接接合した扉枠２ｂに対し、その扉枠２ｂの内外両面に鋼板製の補強板２ｈ，および２ｉを重ね合わせて溶接接合するとともに、特に外側補強板２ｉについては、その先端部２ｉ-1を外側に向けて断面コ字形に屈曲し、その先端がキャビネット本体１の開口縁に形成した折り返し部１ａの裏面に向けて突き出すようにしている。なお、外側補強板２ｉの先端部２ｉ-1は、外扉２の開閉時にキャビネット本体１の前縁折り返し部１ａに干渉しないようにしておくものとする。
【００１３】
かかる構成により、図２で表すように、バール９などを外扉２のヒンジ側から扉とキャビネット本体１との間の隙間にこじ入れて外扉２を前方へ折り曲げようとしても、扉枠２ｂが内外補強板２ｈ，２ｉで補強されているので、外扉２は図３に鎖線で表したような状態に容易に変形することがない。また、この場合に外扉２が前方に押し出されてキャビネット本体１との間の隙間が多少押し拡げられると、外側補強板２ｉの先端部２ｉ-1がキャビネット本体１の前縁折り返し部１ａの裏面に突き当たるようになるので、それ以上の扉の押し出し，変形を阻止する。さらに、隙間に押し込んだバール９で扉枠２ｂを突いたり、外側補強板２ｉを強引に壊してさらに庫内側へバール９を押し込もうとしても、補強板２ｈ，２ｉを重ね合わせてた３重構造の扉枠２ｂがこれを阻害して扉の破壊を防ぐ。
【００１４】
【発明の効果】
以上述べたように、本発明の構成によれば、筐体の外扉に対しそのヒンジ側からバールなどをこじ入れて扉を変形，破壊し、機内から金銭を盗み出そうとしても、扉の変形を阻害して自動販売機の防盗性の向上化を図ることができる。
【図面の簡単な説明】
【図１】本発明の実施例に係わる自動販売機の筐体の要部構造を表す横断面図
【図２】図１の構造による防盗機能の説明図
【図３】自動販売機の筐体の外観斜視図
【図４】図３における外扉の従来構造図であり、(a) は外扉の裏面図、(b) は(a) 図における矢視Ｘ−Ｘ断面拡大図
【符号の説明】
１    キャビネット本体
１ａ  折り返し部
２    外扉
２ａ  扉本体
２ｂ〜２ｅ  扉枠
２ｈ  内側補強板
２ｉ  外側補強板
２ｉ-1  先端部
７    ヒンジ金具
８    錠付き扉ハンドル
【図１】
0003726548.tif 000002
【図２】
0003726548.tif 000003
【図３】
0003726548.tif 000004
【図４】
0003726548.tif 000005